(57)【要約】【課題】集中力を高めることができるオフィスを提供する。【解決手段】オフィス１００は、入口１と出口２を有するオフィス１００であって、入口１から人が入室可能であり、所定の環境に調整されている第１領域１０と、第１領域１０から人が入室可能であり、第１領域１０よりも明るい第２領域２０と、第２領域２０から人が入室可能であり、業務スペースが設けられており、第１領域１０よりも明るい第３領域３０と、を備える。オフィス１００は、第３領域３０から人が入室可能であり、飲食スペースが設けられている第４領域４０をさらに備えてよい。【選択図】図１
2020193532.tif 000002
【特許請求の範囲】
【請求項１】
入口と出口を有するオフィスであって、
前記入口から人が入室可能であり、所定の環境に調整されている第１領域と、
前記第１領域から前記人が入室可能であり、前記第１領域よりも明るい第２領域と、
前記第２領域から前記人が入室可能であり、業務スペースが設けられており、前記第１領域よりも明るい第３領域と、
を備えるオフィス。
【請求項２】
前記第１領域は、直線状に延伸する廊下である、
請求項１に記載のオフィス。
【請求項３】
前記第３領域は、概日リズムに応じて光量が制御される照明を有する、
請求項１又は２に記載のオフィス。
【請求項４】
前記第２領域及び前記第３領域は、音を流すスピーカーを有する、
請求項１から３のいずれか一項に記載のオフィス。
【請求項５】
前記スピーカーは、床側に設置され、水の音を流す、
請求項４に記載のオフィス。
【請求項６】
前記スピーカーは、天井側に設置され、鳥のさえずりを流す、
請求項４又は５に記載のオフィス。
【請求項７】
前記スピーカーは、可聴域外の高周波の音を流す、
請求項４から６のいずれか一項に記載のオフィス。
【請求項８】
前記第１領域は、前記第２領域及び前記第３領域と異なる香りに調整されている、
請求項１から７のいずれか一項に記載のオフィス。
【請求項９】
前記第１領域には、植物が配置されておらず、
前記第２領域及び前記第３領域には、植物が配置されている、
請求項１から８のいずれか一項に記載のオフィス。
【請求項１０】
前記第２領域及び前記第３領域には、所定の位置で所定の方向を見た場合における視界の１割以上に前記植物が入るように、前記植物が配置されている、
請求項９に記載のオフィス。
【請求項１１】
前記業務スペースには、複数の机と、座面の傾きが異なる複数の椅子とが配置されている、
請求項１から１０のいずれか一項に記載のオフィス。
【請求項１２】
前記複数の椅子のうち座面が後方に傾いている椅子は、前記業務スペースの窓に近い側に配置されており、前記複数の椅子のうち座面が水平又は前方に傾いている椅子は、前記窓から遠い側に配置されている、
請求項１１に記載のオフィス。
【請求項１３】
前記複数の椅子は、所定の方向を向くように配置されている、
請求項１１又は１２に記載のオフィス。
【請求項１４】
前記第３領域は、二酸化炭素濃度が所定値以下に調整されている、
請求項１から１３のいずれか一項に記載のオフィス。
【請求項１５】
前記第３領域から前記人が入室可能であり、飲食スペースが設けられている第４領域をさらに備える、
請求項１から１４のいずれか一項に記載のオフィス。
【請求項１６】
前記第４領域には、前記出口が設けられている、
請求項１５に記載のオフィス。
【発明の詳細な説明】
【技術分野】
【０００１】
本発明は、オフィスに関する。
【背景技術】
【０００２】
従来、オフィスのレイアウトは、業務の内容や人員数を勘案して設計されている。例えば下記特許文献１には、人員の業務の特性情報に基づいてワークスタイルを判定し、ワークスタイルに関する基本装備に関する情報及び業務の特性情報をもとに、基本装備の内容を業務特性に合わせて詳細化して、オフィスに必要となる装備を決定するオフィススペック決定装置が記載されている。
【先行技術文献】
【特許文献】
【０００３】
【特許文献１】特開２００１−１８４３７５号公報
【発明の概要】
【発明が解決しようとする課題】
【０００４】
近年、労働制度を抜本的に改める「働き方改革」が進められており、個人の労働生産性を高めることが目標とされている。労働生産性（付加価値労働生産性）は、労働者により創出される付加価値を労働者数及び労働時間で除算することで定義される量であり、より短い時間、より少ない人数、より高付加価値の業務を行うことで、労働生産性を高めることができる。
【０００５】
労働生産性を高めるための様々な提案がなされているが、オフィスワークにおける集中力に着目した例は少なかった。より集中して業務に取り組むことができれば、集中力が散漫な場合に比べてより短時間で業務を終わらせることができ、ミスの少ない成果物が得られて付加価値向上につながると考えられる。
【０００６】
しかしながら、本発明者が実測した結果によると、従来のオフィスは必ずしも集中できる環境ではないことがある。従来のオフィスは、例えば特許文献１に記載のように、業務の特性に応じて空間設計されることが多く、集中できる空間であるかどうかについては考慮されることが少なかった。
【０００７】
そこで、本発明は、集中力を高めることができるオフィスを提供する。
【課題を解決するための手段】
【０００８】
本発明の一態様に係るオフィスは、入口と出口を有するオフィスであって、入口から人が入室可能であり、所定の環境に調整されている第１領域と、第１領域から人が入室可能であり、第１領域よりも明るい第２領域と、第２領域から人が入室可能であり、業務スペースが設けられており、第１領域よりも明るい第３領域と、を備える。
【０００９】
この態様によれば、比較的暗い第１領域を通る際の緊張感と、第１領域よりも明るい第２領域に入室する際の開放感によって、緊張からリラックスという体験を提供し、第３領域に設けられた業務スペースで集中して業務を行うことができるようになる。
【００１０】
上記態様において、第１領域は、直線状に延伸する廊下であってよい。
【００１１】
この態様によれば、神社の参道のように、第１領域を非日常的な空間への遷移領域と感じさせることができ、第３領域で業務を行う場合の集中力をより高めることができる。
【００１２】
上記態様において、第３領域は、概日リズムに応じて光量が制御される照明を有してもよい。
【００１３】
この態様によれば、メラトニンの分泌量が適切になるように照明の光量を制御することができ、質の高い睡眠が取れるようになり、翌日の業務における集中力をより高めることができる。
【００１４】
上記態様において、第２領域及び第３領域は、音を流すスピーカーを有してもよい。
【００１５】
この態様によれば、適度にリラックスした状態で集中して業務を行うことができるようになる。
【００１６】
上記態様において、スピーカーは、床側に設置され、水の音を流してもよい。
【００１７】
この態様によれば、自然の環境音を再現することで、適度にリラックスした状態で集中して業務を行うことができるようになる。
【００１８】
上記態様において、スピーカーは、天井側に設置され、鳥のさえずりを流してもよい。
【００１９】
この態様によれば、自然の環境音を再現することで、適度にリラックスした状態で集中して業務を行うことができるようになる。
【００２０】
上記態様において、スピーカーは、可聴域外の高周波の音を流してもよい。
【００２１】
この態様によれば、可聴域外の音も含めて自然の環境音を再現することで、適度にリラックスした状態で集中して業務を行うことができるようになる。
【００２２】
上記態様において、第１領域は、第２領域及び第３領域と異なる香りに調整されていてもよい。
【００２３】
この態様によれば、視覚だけでなく、嗅覚によって第１領域から第２領域に入室する際の緊張からリラックスという体験を提供し、第３領域に設けられた業務スペースで集中して業務を行うことができるようになる。
【００２４】
上記態様において、第１領域には、植物が配置されておらず、第２領域及び第３領域には、植物が配置されていてよい。
【００２５】
この態様によれば、植物が視界に入ることで業務中のストレスを軽減することができ、業務を行う場合の集中力をより高めることができる。
【００２６】
上記態様において、第２領域及び第３領域には、所定の位置で所定の方向を見た場合における視界の１割以上に植物が入るように、植物が配置されていてよい。
【００２７】
この態様によれば、緑視率を高めることで業務中のストレスをより軽減することができ、業務を行う場合の集中力をより高めることができる。
【００２８】
上記態様において、業務スペースには、複数の机と、座面の傾きが異なる複数の椅子とが配置されていてよい。
【００２９】
この態様によれば、業務における思考内容に適した座席を選択することができ、思考内容により適した姿勢で個別の業務に取り組むことができる。
【００３０】
上記態様において、複数の椅子のうち座面が後方に傾いている椅子は、業務スペースの窓に近い側に配置されており、複数の椅子のうち座面が水平又は前方に傾いている椅子は、窓から遠い側に配置されていてよい。
【００３１】
この態様によれば、新しいアイディアを思考する場合にはより開放的な環境に身を置き、緻密な思考を要する場合にはより静かな環境に身を置くことができ、思考内容により適した環境で個別の業務に取り組むことができる。
【００３２】
上記態様において、複数の椅子は、所定の方向を向くように配置されていてよい。
【００３３】
この態様によれば、他人の目線が気にならなくなり、業務に集中して取り組むことができる。
【００３４】
上記態様において、第３領域は、二酸化炭素濃度が所定値以下に調整されていてよい。
【００３５】
この態様によれば、二酸化炭素濃度を適切に保つことで、集中して業務を行うことができるようになる。
【００３６】
上記態様において、第３領域から人が入室可能であり、飲食スペースが設けられている第４領域をさらに備えてもよい。
【００３７】
この態様によれば、血糖値を適切に保つことで、集中して業務を行うことができるようになる。
【００３８】
上記態様において、第４領域には、出口が設けられていてもよい。
【００３９】
この態様によれば、第１領域に設けられた入口とは別に、第４領域に出口を設けることで、オフィスから退出する人の流れによって、第１領域を通ってオフィスに入室する人及び第３領域で業務を行っている人の集中が妨げられないようにすることができる。
【発明の効果】
【００４０】
本発明によれば、集中力を高めることができるオフィスを提供することができる。
【図面の簡単な説明】
【００４１】
【図１】本発明の実施形態に係るオフィスのレイアウトの一例を示す図である。
【図２】本実施形態に係るオフィスの第１領域の一例を示す図である。
【図３】本実施形態に係るオフィスの第２領域の一例を示す図である。
【図４】本実施形態に係るオフィスの第３領域の一例を示す図である。
【図５】本実施形態に係るオフィスの第１デスク、第２デスク及び第３デスクの概要を示す図である。
【発明を実施するための形態】
【００４２】
添付図面を参照して、本発明の実施形態について説明する。なお、各図において、同一の符号を付したものは、同一又は同様の構成を有する。
【００４３】
図１は、本発明の実施形態に係るオフィス１００のレイアウトの一例を示す図である。オフィス１００は、入口１と出口２を有し、第１領域１０、第２領域２０、第３領域３０及び第４領域４０を備える。
【００４４】
第１領域１０は、入口１から人が入室可能であり、所定の環境に調整されている。第１領域１０は、視覚、聴覚、嗅覚及び触覚を用いて感受することのできる環境が所定の条件を満たすように調整されている。
【００４５】
第２領域２０は、第１領域１０から人が入室可能であり、第１領域１０よりも明るい。また、第３領域３０は、第２領域２０から人が入室可能であり、業務スペースが設けられており、第１領域１０よりも明るい。
【００４６】
本実施形態に係るオフィス１００によれば、比較的暗い第１領域１０を通る際の緊張感と、第１領域１０よりも明るい第２領域２０に入室する際の開放感によって、緊張からリラックスという体験を提供し、第３領域３０に設けられた業務スペースで集中して業務を行うことができるようになる。
【００４７】
第４領域４０は、第３領域３０から人が入室可能であり、飲食スペースが設けられている。オフィス１００を利用するユーザは、第４領域４０の飲食スペースに用意された飲食物を摂取することで血糖値を適切に保つことができ、集中して業務を行うことができるようになる。また、飲食スペースでは、他の利用者の業務の妨げとなることを心配せずに、同僚と自由に話し合いをすることができる。同僚との話し合いによって新たなアイディアが生まれた場合には、第３領域３０の業務スペースに戻って、業務を再開することもできる。
【００４８】
第４領域４０には、出口２が設けられている。第１領域１０に設けられた入口１とは別に、第４領域４０に出口２を設けることで、オフィス１００から退出する人の流れによって、第１領域１０を通ってオフィス１００に入室する人及び第３領域３０で業務を行っている人の集中が妨げられないようにすることができる。
【００４９】
図２は、本実施形態に係るオフィス１００の第１領域１０の一例を示す図である。同図に示すように、第１領域１０は、直線状に延伸する廊下である。同図では、入口１側から見た第１領域１０を図示している。なお、第２領域２０は、第１領域１０の突き当り左側に位置している。
【００５０】
本発明者は、寺社仏閣の建築を参考にして、入口１を鳥居に見立て、第１領域１０を参道に見立て、第２領域２０を手水舎に見立て、第３領域３０を拝殿又は本殿に見立てることで、オフィス１００の空間設計を行った。第１領域１０が参道のように直線状に延伸していることで、第１領域１０を非日常的な空間への遷移領域と感じさせることができ、第３領域３０で業務を行う場合の集中力をより高めることができる。
【００５１】
第１領域１０の明るさは、第２領域２０及び第３領域３０よりも暗い。第１領域１０は、窓を有さなくてよく、照明は足元を照らすものであってよい。第１領域１０を第２領域２０及び第３領域３０よりも暗くすることで、緊張感を高めることができ、第２領域２０に入室した際の開放感を演出することができる。
【００５２】
第１領域１０には、植物が配置されておらず、主に黒色の構造物で構成されている。このように緑視率をゼロとして、モノトーンで統一することで、視覚的な緊張感を高めることができる。もっとも、第１領域１０に植物を配置することとしてもよい。
【００５３】
第１領域１０は、無音に調整されていてよく、第２領域２０及び第３領域３０と異なる所定の香りに調整されていてよい。さらに、第１領域１０は、皮膚感覚のうち温度覚で涼感を感じる気温及び湿度に調整されていたり、触覚によって所定の刺激を受けるように調整されていたりしてもよい。
【００５４】
図３は、本実施形態に係るオフィス１００の第２領域２０の一例を示す図である。第２領域２０は、窓を有してよく、自然光又は照明によって第１領域１０よりも明るく調整されていてよい。また、第２領域２０は、第１領域１０と異なる香りに調整されていてよく、皮膚感覚のうち温度覚で涼感を感じる気温及び湿度に調整されていたり、触覚によって所定の刺激を受けるように調整されていたりしてもよい。
【００５５】
第１領域１０の環境と、第２領域２０（及び第３領域３０）の環境との差異を、視覚を通じて感じられるようにするとともに、聴覚、嗅覚及び肌感覚を通じて感じられるようにすることで、第１領域１０から第２領域２０に入室する際の緊張からリラックスという体験を五感で感じられるようにし、第３領域３０に設けられた業務スペースで集中して業務を行うことができるようになる。
【００５６】
第２領域２０及び第３領域３０は、音を流すスピーカー２１，２２を有する。無音に調整される第１領域１０と対照的に、第２領域２０及び第３領域３０に音を流すことで、適度にリラックスした状態で集中して業務を行うことができるようになる。
【００５７】
スピーカー２２は、床側に設置され、水の音を流してよい。自然の環境音を再現することで、適度にリラックスした状態で集中して業務を行うことができるようになる。もっとも、スピーカー２２は、水の音以外に他の自然音を流してもよいし、自然音ではない音楽を流してもよい。
【００５８】
スピーカー２１は、天井側に設置され、鳥のさえずりを流してよい。自然の環境音を再現することで、適度にリラックスした状態で集中して業務を行うことができるようになる。もっとも、スピーカー２１は、鳥のさえずり以外に他の自然音を流してもよいし、自然音ではない音楽を流してもよい。
【００５９】
スピーカー２１，２２は、可聴域外の高周波の音を流してよい。可聴域外の音も含めて自然の環境音を再現することで、適度にリラックスした状態で集中して業務を行うことができるようになる。
【００６０】
第２領域２０には、植物２５が配置されている。第１領域１０から第２領域２０に入室した際に植物２５が視界に入ることで、緊張からリラックスの落差を大きくすることができ、第３領域３０の業務スペースで業務を行う場合の集中力をより高めることができる。
【００６１】
また、第２領域２０には、所定の位置で所定の方向を見た場合における視界の１割以上に植物２５が入るように、植物２５が配置されている。このように、緑視率を高めることで、よりリラックスした状態とすることができ、その後の業務における集中力をより高めることができる。
【００６２】
図４は、本実施形態に係るオフィス１００の第３領域３０の一例を示す図である。第３領域３０は、窓を有してよく、自然光又は照明によって第１領域１０よりも明るく調整されていてよい。また、第３領域３０は、第１領域１０と異なる香りに調整されていてよい。さらに、第３領域３０は、皮膚感覚のうち温度覚で涼感を感じる気温及び湿度に調整されていたり、触覚によって所定の刺激を受けるように調整されていたりしてもよい。
【００６３】
第３領域３０には、植物３５が配置されている。植物３５が視界に入ることで業務中のストレスを軽減することができ、業務を行う場合の集中力をより高めることができる。
【００６４】
また、第３領域３０には、所定の位置で所定の方向を見た場合における視界の１割以上に植物３５が入るように、植物３５が配置されている。このように、緑視率を高めることで業務中のストレスをより軽減することができ、業務を行う場合の集中力をより高めることができる。
【００６５】
第３領域３０は、概日リズムに応じて光量が制御される照明３４を有する。日中の間、照明３４は、比較的大きな光量で第３領域３０を照らし、第３領域３０が屋外と同程度の明るさとなるようにする。一方、日没している間、照明３４の光量は、業務に支障がない範囲で低く抑えられる。このように、概日リズムに応じて照明３４の光量を制御することで、メラトニンの分泌量が適切となって、質の高い睡眠が取れるようになり、翌日の業務における集中力をより高めることができる。
【００６６】
第３領域３０の業務スペースには、複数の机と、座面の傾きが異なる複数の椅子とが配置されている。同図に示す例では、窓側に設置され、座面が後方に傾いている第１デスク３１と、座面が水平である第２デスク３２と、座面が前方に傾いている第３デスク３３とを示している。オフィス１００の利用者は、業務における思考内容に適した座席を選択することができ、思考内容により適した姿勢で個別の業務に取り組むことができる。
【００６７】
複数の椅子のうち座面が後方に傾いている椅子（第１デスク３１の椅子）は、業務スペースの窓に近い側に配置されており、複数の椅子のうち座面が水平又は前方に傾いている椅子（第２デスク３２又は第３デスク３３の椅子）は、窓から遠い側に配置されている。このような配置によって、第１デスク３１に座って業務を行う場合には、窓の外を眺めながらより開放的な心持ちで新しいアイディアを思考することができる。また、第２デスク３２又は第３デスク３３に座って業務を行う場合には、視覚的な擾乱が少ない静かな環境で緻密な思考を行うことができる。このように、オフィス１００の利用者は、思考内容により適した環境で個別の業務に取り組むことができる。
【００６８】
また、複数の椅子は、所定の方向を向くように配置されている。本例では、第１デスク３１、第２デスク３２及び第３デスク３３に設けられた複数の椅子は、全て窓を向くように配置されている。このような配置によって、他人の目線が気にならなくなり、業務に集中して取り組むことができる。
【００６９】
第３領域３０は、二酸化炭素濃度が所定値以下に調整されていてよい。二酸化炭素濃度が高くなるにつれて、集中力の持続時間が短くなることが確かめられており、二酸化炭素濃度を適切に保つことで、集中して業務を行うことができるようになる。
【００７０】
図５は、本実施形態に係るオフィスの第１デスク３１、第２デスク３２及び第３デスク３３の概要を示す図である。第１デスク３１は、座面が後方に傾いており、座った場合に目線が上方を向く。第２デスク３２は、座面が水平であり、座った場合に目線がやや下方を向く。第３デスク３３は、座面が前方に傾いており、座った場合に目線が下方を向く。
【００７１】
新しいアイディアを思考する場合には、視線を上方に向けて開放的な心持ちとすることが適切であり、緻密な思考を要する場合には、視線を下方に向けて静かな心持ちとすることが適切である。オフィス１００の利用者は、第１デスク３１、第２デスク３２及び第３デスク３３のうち思考内容に適した座席を選択することで、個別の業務をより効率的に進めることができる。
【００７２】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００７３】
１…入口、２…出口、１０…第１領域、２０…第２領域、２１…天井スピーカー、２２…床スピーカー、２５…植物、３０…第３領域、３１…第１デスク、３２…第２デスク、３３…第３デスク、３４…照明、３５…植物、４０…第４領域、１００…オフィス
【図１】
2020193532.tif 000003
【図２】
2020193532.tif 000004
【図３】
2020193532.tif 000005
【図４】
2020193532.tif 000006
【図５】
2020193532.tif 000007